(57)【要約】【課題】  手首に無理な角度を強いることがなく、手部に疲労障害が発生しにくい鋏把手構造を提供する。【解決手段】  鋏の把手と環部との組合わせからなる鋏把手構造であって、前記把手の末端に軸孔が設けられ、前記環部に、方形組合孔を有する凸ベースが設けられ、前記把手の前記軸孔にボルトを通して組合せるとともに、前記把手と前記凸ベースとの間にＯ形プラスチック環を入れ、  前記ボルトの前端を方形にして前記凸ベースの前記方形組合孔中に挿入してからナットで締合わせ、前記把手と前記環部とを一体に締合わせることにより、前記ナットが回転したときでも前記ボルトは回転せず、前記Ｏ形プラスチック環の弾性および不平滑性により前記環部と前記把手との回転角度および保持角度を設定することにより、前記把手と前記環部との間を互いに異なる角度に調整して、様々なカットの角度および位置に対応する効果を達成する鋏把手構造。【選択図】  図６
0003106233.tif 000002
【実用新案登録請求の範囲】
【請求項１】
鋏の把手と環部との組合わせからなる鋏把手構造であって、
前記把手の末端に軸孔が設けられ、
前記環部に、方形組合孔を有する凸ベースが設けられ、
前記把手の前記軸孔にボルトを通して組合せるとともに、前記把手と前記凸ベースとの間にＯ形プラスチック環を入れ、  前記ボルトの前端を方形にして前記凸ベースの前記方形組合孔中に挿入してからナットで締合わせ、前記把手と前記環部とを一体に締合わせることにより、前記ナットが回転したときでも前記ボルトは回転せず、前記Ｏ形プラスチック環の弾性および不平滑性により前記環部と前記把手との回転角度および保持角度を設定することにより、
前記把手と前記環部との間を互いに異なる角度に調整して、様々なカットの角度および位置に対応する効果を達成することを特徴とする鋏把手構造。
【請求項２】
前記ボルト頭部と前記把手の前記軸孔との間にプラスチック性スペーサを加えて弾性と不平滑性を強化して前記把手の角度の定位効果を更に高めることを特徴とする請求項１記載の鋏把手構造。
【請求項３】
前記環部は、指の接触を提供する延伸部が両端に設けられていることを特徴とする請求項１記載の鋏把手構造。
【考案の詳細な説明】
【技術分野】
【０００１】
本考案は鋏把手構造に関し、特に調髪用の鋏において、より優れた実用的な機能を鋏の把手に持たせる技術に関する。
【背景技術】
【０００２】
従来公知の環部を有する調髪の鋏構造(例えば、特許文献１)は、図１および図２に示すように、鋏１０が刃体１１、把手１２および環部１３が一体成形された対称的なものを二つ有する。そして、指１を環部１３中へ入れて把手１２上へ接触させて操作し、環部１３の末端にもう１本の指１を接触させる指掛け１４を提供する。しかしながら、上述した公知のものには次に述べるような欠点があった。
【０００３】
（１）簡単に説明すると、図３から図５は髪を切るときの三種類の角度を示す。図３は刃体１１が上向きで把手１２および環部１３が下方に位置する状態を示し、図４は刃体１１、把手１２および環部１３が水平となっている状態を示し、図５は刃体１１が下向きで把手１２および環部１３が上方に位置する状態を示すが、このように、図３から図５に示すように、角度が異なる状態に合わせて、指１、掌２および肘３を様々に変化させる必要があった。特に、図４および図５の状態のとき、肘３を高く上げなければならず、肘が人体工学上最も快適な状態となっていない。そのため、容易に肘３が疲労するうえ、更にはケガ（例えば、筋や腱の障害）が発生することもあった。
【０００４】
（２）公知の環部１３と、把手１２および刃体１１とは一体成形されて角度が調整できないため、ユーザは指１、掌２および肘３の角度位置を変化させなければならなかった。そのため使用上不便で、手部が容易に疲労するといった問題点があった。
【特許文献１】特開平７−２４１３９２号公報
【考案の開示】
【考案が解決しようとする課題】
【０００５】
本考案の主な目的は、上記のような問題点に鑑みてなされたもので、手首や肘に無理な角度を強いることがなく、手部に疲労障害が発生しにくい鋏把手構造を提供することにある。
【課題を解決するための手段】
【０００６】
上記の課題を解決するために、請求項１の考案は、鋏の把手と環部との組合わせからなる鋏把手構造であって、前記把手の末端に軸孔が設けられ、前記環部に、方形組合孔を有する凸ベースが設けられ、前記把手の前記軸孔にボルトを通して組合せるとともに、前記把手と前記凸ベースとの間にＯ形プラスチック環を入れ、  前記ボルトの前端を方形にして前記凸ベースの前記方形組合孔中に挿入してからナットで締合わせ、前記把手と前記環部とを一体に締合わせることにより、前記ナットが回転したときでも前記ボルトは回転せず、前記Ｏ形プラスチック環の弾性および不平滑性により前記環部と前記把手との回転角度および保持角度を設定することにより、前記把手と前記環部との間を互いに異なる角度に調整して、様々なカットの角度および位置に対応する効果を達成することを特徴とする鋏把手構造である。
請求項２の考案は、前記ボルト頭部と前記把手の前記軸孔との間にプラスチック性スペーサを加えて弾性と不平滑性を強化して前記把手の角度の定位効果を更に高めることを特徴とする請求項１記載の鋏把手構造である。
請求項３の考案は、前記環部は、指の接触を提供する延伸部が両端に設けられていることを特徴とする請求項１記載の鋏把手構造である。
【考案の効果】
【０００７】
本考案の鋏把手構造によれば、環部と把手との回転角度および保持角度を所望の角度に設定することができるから、特に調髪の鋏の使用に際して、手首や肘に無理な角度を強いることがなく、手部に疲労障害が発生しにくい。
【考案を実施するための最良の形態】
【０００８】
本考案の好適な実施例を図面に沿って説明する。
図６に示すように、鋏把手構造は、鋏の把手２２と環部３０との組合わせからなる。把手２２の末端には軸孔２３が設けられ、環部３０には方形組合孔を有する凸ベース３１が設けられ、環部３０の両端には延伸部３２，３３が設けられる。
把手２２の軸孔２３にボルト２４を通して組合せるとともに、把手２２と凸ベース３１との間にＯ形プラスチック環３５を入れ、ボルト２４の前端を方形にして凸ベース３１の方形組合孔３１０中に挿入してからナット３４で締合わせ、把手２２と環部３０とを一体に締合わせる。そのため、ナット３４が回転してもボルト２４は回転せず、Ｏ形プラスチック環３５の弾性および不平滑性により環部と把手との回転角度および保持角度を設定することができる。
また、ボルト２４頭部と把手２２の軸孔２３との間にプラスチック性スペーサ２５を加え、弾性と不平滑性を強化して把手２２の角度を定位する効果を更に高めることができる。
【０００９】
図７から図９は、本考案の実施例の環部３０を把手２２に組合せたときの構造を示し、把手２２と環部３０とを同じ水平状態にしたり（図８参照）、様々な挟み角度に調整したり（図９参照）することができる。本考案の実施例が角度を設定するとき、角度を定位させる機能を有するが、それはプラスチック性スペーサ２５およびＯ形プラスチック環３５により達成される。すなわち、プラスチック性スペーサ２５およびＯ形プラスチック環３５は、磨耗耐久性があり弾性と不平滑性を有するテフロン（登録商標）プラスチック、ゴムプラスチック、ＰＥプラスチックでもよい。そして、把手２２と環部３０の凸ベース３１との間に弾力と、不平滑性の効果が生まれるため、力を加えて故意に角度を変えない限り、設定された環部３０の角度は定位される。
【００１０】
本考案の実施例は、把手２２および環部３０の角度を調整することができるため、使用するときに下記の機能と長所を備える。
（１）図１０は、刃体２１が上を向いて把手２２および環部３０が下方に位置し、環部３０および把手２２が斜角度を有する状態を示す。図１１は、刃体２１および把手２２が水平で、環部３０が垂直である状態を示す。図１２は刃体２１が下を向いて把手２２および環部３０が上方に位置する状態を示す。
（２）したがって、上述の図１０から図１２の状態は、ユーザの指１、掌２、肘(腕)３が同じ姿態である状態を示している。つまり、図４および図５のように姿態を変化させる必要がないということである。従って、本考案の実施例において、ユーザは指１、掌２、肘３が手部の人体工学に合致する最も快適な状態で鋏を使用することができ、使用に便利で、手部の手首や肘に疲労障害が発生しにくいという効果を達成することができる。
【００１１】
（３）また、環部３０は、切る位置と角度により自由に変化させることができるため、身体を移動する時間を減らし、髪をカットする効率を向上することができる。
【００１２】
（４）本考案の実施例の環部３０の両端に延伸部３２、３３が設けられるため、環部３０をどの角度に回転しても、その両端にある延伸部が指の接触を保つことにより、把手２２の連動操作を補助するという効果を達成することができる。
本考案の特徴を損なうものでなければ、実施例に限定されないことは勿論である。
【図面の簡単な説明】
【００１３】
【図１】従来技術を示す斜視図である。
【図２】従来技術の指が持つ位置を示す図である。
【図３】従来技術において、刃体が上を向いて使用している状態の図である。
【図４】従来技術において、刃体が水平方向で使用している状態の図である。
【図５】従来技術において、刃体が下を向いて使用している状態の図である。
【図６】本実施例の分解斜視図である。
【図７】本実施例を組立てたときの断面拡大図である。
【図８】本実施例を組立てたときの斜視図である。
【図９】本実施例の環部を斜角度に調整したときの斜視図である。
【図１０】本実施例において、刃体が上を向いて使用している状態の図である。
【図１１】本実施例において、刃体が水平方向で使用している状態の図である。
【図１２】本実施例において、刃体が下を向いて使用している状態の図である。
【符号の説明】
【００１４】
１      指
２      掌
３      肘(腕)
２０    鋏
２１    刃体
２２    把手
３０    環部
２３    軸孔
２４    ボルト
２５    プラスチック性スペーサ
３１    凸ベース
３１０  方形組合孔
３２    延伸部
３３    延伸部
３４    ナット
３５    Ｏ形プラスチック環
【図１】
0003106233.tif 000003
【図２】
0003106233.tif 000004
【図３】
0003106233.tif 000005
【図４】
0003106233.tif 000006
【図５】
0003106233.tif 000007
【図６】
0003106233.tif 000008
【図７】
0003106233.tif 000009
【図８】
0003106233.tif 000010
【図９】
0003106233.tif 000011
【図１０】
0003106233.tif 000012
【図１１】
0003106233.tif 000013
【図１２】
0003106233.tif 000014